(57)【要約】  携帯型デジタルテレビジョン（ＤＴＶ）は、プロセッサー、チャンネル及び音量変更ボタン装置、及びナビゲーション・ボタン装置を有する。当該ボタン装置の何れか又は両方は少なくとも２モード動作で用いられ得る。第１の動作モードではボタン装置は通常機能を提供する。第２の動作モードではボタン装置は双方向アプリケーション・インターフェースを提供する。望ましくは、２つのボタン装置の１つは２モード動作に選択される。選択されたボタン装置は、ボタン装置を照射する少なくとも１つの光学要素と関連付けられる。制御部は、選択されたボタン装置が一方の動作モードである色を有し、他方の動作モードで異なる色を有するよう光学要素を動作する。
2009506716.tif 000002
【特許請求の範囲】
【請求項１】
機器であって、
制御信号を生成する装置、
前記装置を照射する手段、及び
制御部、を有し、前記制御部は、前記制御信号を第１の信号として読み取る第１の動作モード、及び前記照射する手段を活性化し、前記機器と結合されたディスプレイに表示された第１の所定の接続を選択するために前記制御信号を前記第１の信号と異なる第２の信号として読み取る第２の動作モードとを有する、機器。
【請求項２】
前記第１の動作モードでは、前記照射する手段は前記装置が第１の色を有するよう動作され、前記第２の動作モードでは、前記照射する手段は前記装置が前記第１の色と異なる第２の色を有するよう動作される、請求項１記載の機器。
【請求項３】
前記第１の動作モードでは、前記照射する手段は前記第１の色を放出するよう動作され、前記第２の動作モードでは、前記照射する手段は前記第２の色を放出するよう動作される、請求項２記載の機器。
【請求項４】
前記第１の動作モードでは、前記照射する手段はオフに切り替えられ、前記第２の動作モードでは、前記照射する手段は前記第２の色を放射するよう動作される、請求項２記載の機器。
【請求項５】
前記第１の信号はディスプレイのポインタを左、右、上、及び下の４方向のうちの１方向へ動かす信号である、請求項２記載の機器。
【請求項６】
前記第１の信号は、チャンネル選択のインクリメント、チャンネル選択のデクリメント、音量設定の増大、及び音量設定の減少のうちの１つの機能を実行する信号である、請求項２記載の機器。
【請求項７】
前記装置はそれぞれ第１、第２、第３、及び第４の制御信号を生成する第１、第２、第３、及び第４の入力機構を有し、
前記照射する手段はそれぞれ前記第１、第２、第３、及び第４の入力機構を照射する第１、第２、第３、及び第４の光学要素を有し、
前記第１の動作モードでは、前記制御部は前記第１、第２、第３、及び第４の制御信号をそれぞれ第１、第２、第３、及び第４の信号として読み取り、及び
前記第２の動作モードでは、前記制御部は前記第１、第２、第３、及び第４の光学要素を活性化し、前記第１、第２、第３、及び第４の制御信号をそれぞれ第１、第２、第３、及び第４の所定の接続の選択として読み取る、請求項１記載の機器。
【請求項８】
前記第１の動作モードでは、前記第１、第２、第３、及び第４の光学要素は、前記第１、第２、第３、及び第４の入力機構のそれぞれが第１の色を有するよう動作され、前記第２の動作モードでは、第１、第２、第３、及び第４の光学要素は、前記第１、第２、第３、及び第４の入力機構のそれぞれが前記第１の色と異なる第２、第３、第４、及び第５の色をそれぞれ有するよう動作される、請求項７記載の機器。
【請求項９】
前記第１、第２、第３、及び第４の所定の接続はそれぞれ前記第２、第３、第４、及び第５の色でディスプレイに表示される、請求項８記載の機器。
【請求項１０】
前記第２、第３、第４、及び第５の色は、それぞれ赤、緑、青及び黄である、請求項８記載の機器。
【請求項１１】
前記第１の動作モードでは、前記第１、第２、第３、及び第４の信号はそれぞれディスプレイのポインタを左、右、上、及び下へ動かす信号である、請求項１０記載の機器。
【請求項１２】
前記第１の動作モードでは、前記第１、第２、第３、及び第４の信号は、それぞれチャンネル選択をインクリメントする、チャンネル選択をデクリメントする、音量設定を増大する、及び音量設定を減少する信号である、請求項１０記載の機器。
【請求項１３】
デジタル・テレビジョンであって、
ユーザー・インターフェースをユーザーへ提供するよう構成され、及び少なくとも２モード動作を有するボタン装置、及び
前記ボタン装置に光の色を表示する光学要素、を有し、
第１の動作モードでは前記ボタン装置は第１の機能を提供し、及び第２の動作モードでは前記ボタン装置は前記第１の機能と異なる、前記ユーザーに対し前記デジタル・テレビジョンに提示されるデジタル・テレビジョン・アプリケーションと相互作用する機能を提供し、並びに
前記第１のモードでは、前記光学要素の少なくとも１つは第１の色の光を放出し、前記第２のモードでは、前記光学要素の少なくとも１つは前記デジタル・テレビジョンに表示される特定の双方向アプリケーション機能と関連付けられた色に対応する異なる色の光を放出する、デジタル・テレビジョン。
【請求項１４】
前記第１の機能は前記デジタル・テレビジョンに提示されるグラフィカル・ユーザー・インターフェースを行き来するポインタを動かす、請求項１３記載のデジタル・テレビジョン。
【請求項１５】
前記第１の機能は、チャンネル選択のインクリメント、チャンネル選択のデクリメント、音量設定の増大、及び音量設定の減少のうちの１つである、請求項１３記載のデジタル・テレビジョン。
【請求項１６】
前記第１の色は白であり、及び前記異なる色は赤、黄、青及び緑を有する、請求項１３記載のデジタル・テレビジョン。
【請求項１７】
前記ユーザーに前記第１の動作モードと前記第２の動作モードとの間で切り替えさせるモード・ボタン、を更に有する請求項１３記載のデジタル・テレビジョン。
【請求項１８】
前記光学要素は２色発光ダイオードである、請求項１３記載の携帯型デジタル・テレビジョン。
【請求項１９】
方法であって、デジタル・テレビジョンで用いられ、前記方法は、
（ａ）ボタン装置に第１のモードを設定する段階、
（ｂ）前記第１のモードでは前記ボタン装置は第１の制御機能を提供するために用いられ、第１の色を前記ボタン装置に表示させる段階、
（ｃ）前記ボタン装置を第２のモードに設定する段階、及び
（ｄ）少なくとも４つの異なる色を前記ボタン装置に表示させる段階、を有し、
前記第２のモードでは前記ボタン装置は前記デジタル・テレビジョンに提示された双方向アプリケーションと相互作用する第２の機能を提供するために用いられ、及び前記４つの異なる色のそれぞれは異なる双方向機能に関連付けられ、前記第１の制御機能は前記第２の制御機能と異なる、方法。
【請求項２０】
前記第１の制御機能は前記デジタル・テレビジョンに提示されるグラフィカル・ユーザー・インターフェースを行き来する、請求項１９記載の方法。
【請求項２１】
前記第１の制御機能は、チャンネル選択のインクリメント、チャンネル選択のデクリメント、音量設定の増大、及び音量設定の減少のうちの１つである、請求項１９記載の方法。
【請求項２２】
前記デジタル・テレビジョンは、少なくとも２つの状態を有するボタンを有し、１つの状態は前記第１のモードと関連付けられ及び２つ目の状態は前記第２のモードと関連付けられ、前記方法は、前記第１のモードと関連付けられた状態が検出された場合に段階（ａ）及び（ｂ）が実行され、前記第２のモードと関連付けられた状態が検出された場合に段階（ｃ）及び（ｄ）が実行されるよう、前記ボタンの状態を決定する段階を更に有する、請求項１９記載の方法。
【請求項２３】
（ｅ）ユーザーによりボタンが選択されると段階（ａ）へ戻る段階、を更に有する請求項１９記載の方法。
【請求項２４】
前記異なる４つの色は、赤、緑、青及び黄である、請求項１９記載の方法。
【請求項２５】
前記第１の色は白である、請求項２４記載の方法。
【発明の詳細な説明】
【技術分野】
【０００１】
［関連出願の相互参照］
本出願は米国特許仮出願番号６０／７１３０３４、２００５年８月３１日出願、名称「ＬＥＤ  Ｌｏａｄｉｎｇ  ｏｆ  ４  Ｐｏｓｉｔｉｏｎｓ」及びＰＣＴ特許出願番号ＰＣＴ／ＵＳ２００５／００２４２７、２００５年１月２０日出願、名称「ＨＩ−  ＭＯＤＡＬ  ＳＷＩＴＣＨＩＮＧ  ＦＯＲ  ＣＯＮＴＲＯＬＬＩＮＧ  ＤＩＧＩＴ  ＡＬ  ＴＶ  ＡＰＰＬＩＣＡ  ＴＩＯＮＳ  ＯＮ  ＨＡＮＤ−ＨＥＬＤ  ＶＩＤＥＯ  ＤＥＶＩＣＥＳ」の利益及び／又は優先権を主張する。当該両出願の全体の内容は参照されることにより本願明細書に組み込まれる。
【０００２】
本発明は、一般にユーザー・インターフェース、及びより詳細にはハンドヘルド・ビデオ装置のユーザー・インターフェースに関する。
【背景技術】
【０００３】
欧州で設立されたデジタル・テレビ放送（ＤＶＢ−Ｔ）規格（例えばＥＴＳＩ  ＥＮ  ３００  ７４４及び他の関連文書）に準拠するテレビジョン・システムでは、双方向アプリケーションが存在し得る。その際、デジタル・テレビジョン（ＤＴＶ）のリモコンは、標準的にナビゲーション・キーのセット及びファンクション・キーのセットを有する。ナビゲーション・キー又はボタンのセットは、ＤＴＶに表示される電子番組案内（ＥＰＧ）及び／又はメニュー・ツリーを例えばポインタをある方向に移動することにより行き来するために用いられ、及び標準的に「上」、「下」、「右」、「左」及び「選択」のような共通動作を表す５個のボタンを有する。これに対し、ファンクション・キーは、双方向アプリケーションに用いられ、及び標準的に少なくとも４個のボタンを有し、各ボタンは特定の色に関連付けられる。例えば、１つのボタンは赤に色付けられ、次は緑、第３及び第４のボタンは黄色に色付けられる。（留意すべき点は、第５のボタンは将来の使用のために予約され、及び紫色で示されることである。）このように、双方向アプリケーションは、ＤＴＶに表示された画像に「ソフトラベル」を設けて良い。各ラベルは異なる機能を文字で記述し及び４色のうちの１つを有する。例えば、双方向アプリケーションは、文字「戻る」を有し赤い背景を有するソフトラベルを表示されて良い。ユーザーは従って、リモコン上の赤色のファンクション・キーを押下することが双方向アプリケーションの「戻る機能」を実行することに相当することを知る。
【発明の開示】
【発明が解決しようとする課題】
【０００４】
ナビゲーション・キーのセット、チャンネル及び音量変更キーのセット、並びにファンクション・キーのセットのＤＴＶ環境における使用は、双方向アプリケーションを支援する携帯型ＤＴＶの構成において問題であることが分かっている。特に、携帯型ＤＴＶは、少なくとも１４個のボタン（ナビゲーション・インターフェース用に５個、チャンネル及び音量変更に４個、及び双方向アプリケーション・インターフェース用に５個）のための十分な物理的空間を携帯型ＤＴＶのどこかに設けるか、又は携帯型ＤＴＶに合う（上述の必要数のボタンを有する）リモコンの実装を要求しなければならない。従って、及び本発明の原理に従って、ナビゲーション・ボタン装置、又はチャンネル及び音量変更ボタン装置、又は両者は、少なくとも２モード動作を有する。ある動作モードでは、ナビゲーション・ボタン装置又はチャンネル及び音量変更ボタン装置は通常機能を提供する。例えば、ナビゲーション・ボタン装置が２モード動作で用いられる場合、通常機能はＤＴＶに提示された案内及び／又はメニューを行き来することである。また、チャンネル及び音量変更ボタン装置が２モード動作で用いられる場合、通常機能はチャンネル選択を変更すること、又は音量設定を変更することである。別の動作モードでは、２モード動作に用いられるボタン装置は、ユーザーに提示されたＤＴＶアプリケーションと相互作用する双方向アプリケーション・モードを提供する。従って携帯型ＤＴＶは、ナビゲーション・インターフェース、チャンネル及び音量変更、及び双方向アプリケーション・インターフェースを提供するために、上述の１４個のボタンの代わりに９個のボタンを利用する。
【課題を解決するための手段】
【０００５】
本発明の実施例では、機器は、制御信号を生成する装置、前記装置を照射する手段、及び制御部、を有する。前記制御部は、前記制御信号を第１の信号として読み取る第１の動作モード、及び前記照射する手段を活性化し、前記機器と結合されたディスプレイに表示された第１の所定の接続を選択するために前記制御信号を前記第１の信号と異なる第２の信号として読み取る第２の動作モードとを有する
第１の動作モードでは、照射する手段は装置が第１の色を有するよう動作される。第２の動作モードでは、照射する手段は装置が第１の色と異なる第２の色を有するよう動作される。
【０００６】
別の実施例では、第１の動作モードでは、制御部は制御信号をディスプレイのポインターの動き、チャンネル選択のインクリメント、チャンネル選択のデクリメント、音量設定の増大、音量設定の減少の何れかとして読み取る。
【発明を実施するための最良の形態】
【０００７】
本発明の概念の他に、図中に示される要素は良く知られており及び詳細に記載されない。また、デジタル・テレビジョンに基づくシステムは熟知されていることが想定され、及び本願明細書に詳細に記載されない。例えば、本発明の概念以外に、デジタルＴＶを伝搬する変調信号、信号点配置、搬送波回復、補間、位相ロック・ループ（ＰＬＬ）、無線周波数（ＲＦ）フロントエンド、又は低雑音ブロック・ダウンコンバーターのような受信機部分、送信ビット・ストリームを生成する（ＭＰＥＧ−２システム規格（ＩＳＯ／ＩＥＣ１３８１８―１）のような）フォーマット及び符号化方法、対数尤度比のような復号化方法、軟入力軟出力（ＳＩＳＯ）検出器、ビタビ検出器、ストアド・プログラムにより制御されるプロセッサー、及びユーザー・インターフェースを提供するボタンは、良く知られており本願明細書に記載されない。更に、本発明の概念は、本願明細書に記載されない従来のプログラム技術を用い実施されて良い。最後に、図中の類似の番号は同様の要素を表す。また少なくともいくつかの図は、処理の表現を簡略化し及び実際の縮尺に描かれない。
【０００８】
図１は、本発明の原理に従う説明のための携帯型ＤＴＶ１００を示す。携帯型ＤＴＶ１００は、アンテナ１０１、ＤＴＶ受信機１０５、ＤＴＶプロセッサー１１０、ディスプレイ１１５及びユーザー・インターフェース（ＵＩ）１２０を有する。説明的に、携帯型ＤＴＶ１００は、前述の欧州ＤＶＢ−Ｔ規格に準拠する。この点で、ＤＴＶ受信機１０５はＤＴＶ信号をアンテナ１０１を介し受信する。ＤＴＶ受信機１０５は受信信号を処理し、ダウンコンバートされた信号１０６をＤＴＶプロセッサー１１０へ供給する。後者は、ダウンコンバートされた信号を更に処理し、それから、デジタル・ビデオ信号１１１のようなデジタル・サービスをディスプレイ・アプリケーション１１５でのユーザーによる視聴のために回復する。携帯型ＤＴＶ１００はＵＩ１２０により、信号経路１２１を介し制御される。信号経路１２１はユーザーに例えば装置をオン及びオフに切り替える、チャンネルを選択する、音量を調整する、電子番組案内（ＥＰＧ）により提示されたグラフィカル・ユーザー・インターフェース（ＧＵＩ）及び／又はディスプレイ１１５に提示された（ＤＴＶパラメーター（例えばビデオ、音声、等）を設定するための）メニューを行き来する、及び双方向アプリケーション・データを提供する、等の機能を提供する。双方向アプリケーション・データに関し、ＤＴＶプロセッサー１１０は、ＤＴＶ受信機１０５を介しダウンロードされた双方向アプリケーション・プログラムを格納するメモリー（示されない）を有する。ＤＴＶプロセッサー１１０による実行時に、双方向アプリケーション・プログラムは双方向アプリケーションをユーザーに提供する。知られている双方向アプリケーションは、例えば天気、ニュース、交通情報及びゲーム（例えばテトリス）である。双方向アプリケーションは、特定のチャンネル（例えばゲーム・チャンネル）又は現在視聴されている番組と関連付けられて良い。例えば、スポーツ番組は、ユーザーにより選択された場合に例えば追加チーム情報を提供する画面上の色付けされたファンクション・キーを表示して良い。留意すべき点は、ＤＴＶプロセッサー１１０が処理機能を表し、及び１つ以上のストアド・プログラム・プロセッサー（例えばマイクロプロセッサー）内に実施されて良いことである。
【０００９】
図２を参照すると、携帯型ＤＴＶ１００の説明のための前面図が示される。留意すべき点は、当該図が説明のためのものであり、縮尺が異なり、及び単に本発明の原理を強調するために用いられることである。携帯型ＤＴＶ１００は筐体１９０内に含まれる。図２から分かるように、筐体１９０はディスプレイ１１５、ユーザー・インターフェース１２０及びアンテナ１０１の支持を提供する。ユーザー・インターフェース１２０は、少なくともナビゲーション・ボタン装置１２５、ボタン装置１３０及びモード・ボタン１３５を有する。ボタン装置１３０は、説明的にユーザーにチャンネルを変更し及び音量を調整する機能を提供する。（ボタン装置１３０はチャンネル及び音量変更ボタン装置１３０として参照されても良い。）これは図２に、現在のチャンネル選択をインクリメント及びデクリメントするために用いられるボタンを示すラベル「Ｃｈ＋」及び「Ｃｈ−」の説明的な使用により、及び現在の音量設定を増大及び減少するために用いられるボタンとして示されるラベル「Ｖ＋」及び「Ｖ−」の説明的な使用により示される。本発明の概念に必ずしも必要ではないが、他のボタン、例えば電源ボタンが存在して良いが、これらはまた本発明の概念に関係しない。本発明の原則に従って、ナビゲーション・ボタン配置１２５又はボタン装置１３０又は両者は、少なくとも２つの動作モードを有する。つまり通常動作モードと双方向アプリケーション動作モード（本願明細書では有色動作モードとしても参照される）である。例えば、通常動作モードでは、ナビゲーション・ボタン装置１２５内に図示されたボタンは、ナビゲーション・ボタンとして用いられる。またボタン装置１３０内に図示されたボタンは、チャンネル選択を変更するため及び音量設定を変更するために用いられる。便宜上、ナビゲーション・ボタン装置１２５の通常動作モードは以下の記載ではナビゲーション動作モードとして参照される。
【００１０】
図３を参照する。図３は、少なくとも２つの動作モードを有するナビゲーション・ボタン装置を提供する本発明の原理に従う説明のためのフローチャートを図示する。ステップ３０５で、ＤＴＶプロセッサー１１０は携帯型ＤＴＶ１００のモードを設定する。例えば、ＤＴＶプロセッサー１１０は、モードを設定するための図２のモード・ボタン１３５を用いて良い。特に、モード・ボタン１３５は少なくとも２つの状態を提供する。１つの状態はナビゲーション動作モードと関連付けられ、他の状態は双方向アプリケーション動作モードと関連付けられる。ＤＴＶプロセッサー１１０は、単に現在状態を検出されているモード・ボタン１３５のモードを切り替える。このように、ユーザーは、単にモード・ボタン１３５を押下することによりＤＴＶプロセッサー１１０にモードを切り替えさせることができる。ナビゲーション・モードが設定されると、ＤＴＶプロセッサー１１０は段階３１０及び３１５を実行する。段階３１０で、ＤＴＶプロセッサー１１０はナビゲーション・モードの色（以下に更に記載される）をオンに切り替える。段階３１５で、ＤＴＶプロセッサー１１０はナビゲーション・ボタン装置１２５からの如何なる信号もナビゲーション信号として処理する。一方で、双方向アプリケーション・モードが設定されると、ＤＴＶプロセッサー１１０は段階３５０及び３５５を実行する。段階３５０で、ＤＴＶプロセッサー１１０は双方向アプリケーション・モードの色（本願明細書では有色モードの色としても参照される）（以下に記載される）を点ける。段階３５５で、ＤＴＶプロセッサー１１０はナビゲーション・ボタン装置１２５からの如何なる信号も双方向アプリケーション信号として処理し、当該信号を特定の双方向アプリケーション・プログラムへ渡す。従って携帯型ＤＴＶ１００は、ナビゲーション・インターフェースと双方向アプリケーション・インターフェースの両方を提供するために、上述の１０個のボタンの代わりに５個のボタンを利用する。
【００１１】
ナビゲーション・ボタン装置１２５のナビゲーション・モードは、図４に図示される。ナビゲーション・ボタン装置１２５の一部は効率的な５個のボタンを有する。つまり、上ボタン、右ボタン、下ボタン、左ボタン、及び選択ボタンである。これらは、ナビゲーション・ボタン装置１２５の対応する部分１２５−１、１２５−２、１２５−３、１２５−４及び１２５−５により図４に図示される。ナビゲーション・ボタン装置１２５の当該部分はまた、本願明細書では上ボタン１２５−１、右ボタン１２５−２、下ボタン１２５−３、左ボタン１２５−４及び選択ボタン１２５−５として参照される。各ボタン部分は、光学部分１２６−１、１２６−２、１２６−３、１２６−４、及び１２６−５により表されるように少なくとも１つの部分的に光学的に透明な部分を有する。本願明細書の目的のため、外側の光透過性部分（１２６−１、１２６−２、１２６−３及び１２６−４）は説明的な方向記号の形状（∧、∨、＞、＜）であるが、本発明の概念はこれに限定されない。
【００１２】
図５を簡単に参照する。簡略化された形式の、ナビゲーション・ボタン装置１２５の部分（例えば１つのボタン、例えばボタン１２５−４）の説明のためのブロック図が示される。ナビゲーション・ボタン装置１２５は、回路基板２０１、柱要素２０２、光学要素２０５、及び蓋板２０４を有する。蓋板２０４は、少なくとも部分的に光学的に透明な部分２０３を有し、光学要素２０５（例えば図４の光透過性部分１２６−４に対応する）からの光を放出する。従って、対応するボタン（例えばボタン１２５−４）がユーザーに見え、対応する光学要素２０５から放出される光と同一色を有する。回路基板２０１と柱要素２０２の両方の上には対応する導電性要素（図示されない）が配置される。蓋板２０４が矢印２１１の方向へ押下された時、柱要素２０２の導電性要素は、回路基板２０１の導電性要素と接触し、電気信号をＤＴＶプロセッサー１１０へ図１の信号経路１２１（図５に示されない）を介し生成する。更に、回路基板２０１は電気信号を光学要素２０５へ伝達し、光学要素２０５に光透過性部分２０３を通じて伝送するための光を生成させる。光学要素又は光源２０５は、図１の信号経路１２１（図５に示されない）を介しＤＴＶプロセッサー１１０により制御される。本発明の原理によると、光学要素２０５は複数色の発光ダイオード（ＬＥＤ）であり、及び少なくとも２種類の色で光を提供可能である。例えば、光学要素２０５は、従来知られている２色ＬＥＤ、３色ＬＥＤ等であって良い。本発明の目的のため、光学要素２０５により生成されることが可能な少なくとも１つの色は白であるとする。
【００１３】
再び図４を参照すると上述のように、図４はナビゲーション動作モードを表す。特に、ナビゲーション・ボタン装置１２５の各光学要素は制御され、白色を提供する（図３の段階３１０）。これは、光透過性部分１２６−１、１２６−２、１２６−３、１２６−４及び１２６−５のそれぞれに「塗りつぶし」パターンが無いことにより図４に図示される。このように、ナビゲーション・ボタン装置１２５の全てのボタンに関連付けられた白色光の存在は、ナビゲーション・ボタン装置がナビゲーション・モードにあり、及び例えばチャンネルの変更、音量の調整などに用いられ得ることをユーザーに示す。双方向アプリケーションのために用いられ又は予約されている赤、緑、青、黄、及び紫以外の他の色は、ボタン装置１２５がナビゲーション・モードであることを示すために用いられ得る。更に、ナビゲーション・モードは単に全ての関連する光学要素をオフに切り替えるだけで示され得る。これは電力消費を低減し、携帯型ＤＴＶ１００の動作期間を増大する。
【００１４】
図６を参照すると、双方向アプリケーション・モードが図示される。図４及び図６を視覚的に比較すると、図６では光透過性部分１２６−１、１２６−２、１２６−３、１２６−４及び１２６−５にパターンが存在することが分かる。当該パターンは、本願明細書では白以外の光の色を示すために用いられる。特に、ナビゲーション・ボタン装置１２５の各光学要素は制御され、異なる色を提供する（図３の段階３５０）。説明的に、上ボタン１２５−１に関連付けられた水平方向ダッシュ「−」は色赤を表す。下ボタン１２５−３に関連付けられた垂直方向ダッシュ「｜」は色青を表す。右ボタン１２５−２と関連付けられた順方向スラッシュ「／」は色黄を表す。左ボタン１２５−４と関連付けられた逆方向スラッシュ「＼」は色緑を表す。及び選択ボタン１２５−５と関連付けられた斜交平行模様は色紫を表す。（上述のように、色紫は双方向アプリケーションによる将来の使用のために予約されている。このように、本発明の原理に従い、選択ボタン１２５−５に関連付けられた色はまた、白として保たれて良く、又は関連付けられた光学要素は如何なる光も放出されないようオフに切り替えられて良い。）
双方向アプリケーション・モードの動作は、図７に更に図示される。図７に示されるように、ナビゲーション・ボタン装置１２５は、上述の「塗りつぶし」文字により示されるように、双方向モードである。また図７には、アプリケーション・モード中にディスプレイ１１５に提示される画像の部分が示される。特に、ディスプレイ１１５の部分は、ユーザーが選択し得る機能を提示する。（ユーザーが選択し得る各機能と関連付けられた対応する文字ラベルは、図７に示されない。）対応する文字ラベルを有する各色アイコンは機能と関連付けられ、各色アイコンは所定の接続を呼び出し得る。ソフト文字を有する色アイコンの仕様は単なる説明である。他の方法、例えば有色ハイパーテキスト、及び有色ユニバーサル・リソース・ロケーター（ＵＲＬ）も用いられ得る。各機能は、特定の「塗りつぶし」文字により表されるように特定の色により示される。例えば、ディスプレイ部分１１５−１に関連付けられた水平方向ダッシュ「−」は色赤を表す。ディスプレイ部分１１５−３に関連付けられた垂直方向ダッシュ「｜」は色青を表す。ディスプレイ部分１１５−２と関連付けられた順方向スラッシュ「／」は色黄を表す。及びディスプレイ部分１１５−４と関連付けられた逆方向スラッシュ「＼」は色緑を表す。本発明の原理によると、双方向アプリケーション・モードでは、ディスプレイ１１５に示された色とナビゲーション・ボタン装置１２５の光学要素により放出される色とが対応する。従って、白以外の色がボタンに隣接して現れる場合、ユーザーは、携帯型ＤＴＶ１００が双方向アプリケーション・モードであること、及び特定の色に関連付けられたボタンの使用が双方向アプリケーションの機能の選択をもたらすことを認め得る。例えば、ディスプレイ部分１１５−１が「戻る」と題された文字ラベル（示されない）を表示する場合、ユーザーは単に、赤で示されるボタン１２５−１を押下し当該機能を選択する。上述のように、双方向アプリケーションが５個より少ない機能をユーザーによる選択のためディスプレイに提示する場合、結果としてナビゲーション・ボタン装置１２５は、本発明の原理に従い制御され、全ての色を示すか、又は代わりに利用可能な双方向アプリケーション機能に対応する色のみを示して良い。例えば、双方向アプリケーションが赤のファンクション・キーのみを表示する場合、ナビゲーション・ボタン装置１２５は全ての色（赤、青、黄、緑及び紫）を示すよう制御されるか、又は代わりにナビゲーション・ボタン装置１２５はボタン１２５−１のみが色赤で点灯するよう制御されて良い。後者の場合、ファンクション・キーの情報は双方向アプリケーションによりＤＴＶプロセッサー１１０へ提供され、従ってＤＴＶプロセッサー１１０は表示された機能の色と同一色を有する対応する光学要素をオンに切り替え得る。何れの場合にも、他の４個のファンクションを押下しても如何なる作用も生じない。
【００１５】
図８は、双方向アプリケーション・モードの携帯型ＤＴＶ１００の前面図の別の例を示す。同様に、図９及び１０に、それぞれナビゲーション・モード及び双方向アプリケーション・モードのユーザー動作が図示される。留意すべき点は、これらの図は有色画像の白黒表現であることである。
【００１６】
図１１を参照すると、本発明の原理に従う説明のための別のフローチャートが示される。これは、携帯型ＤＴＶ１００をナビゲーション・モード又は双方向アプリケーション・モードの何れかに設定する代替の方法である。この例では、携帯型ＤＴＶ１００は「スティッキー・モード」で動作する。このスティッキー・モードでは、携帯型ＤＴＶ１００は常にナビゲーション・モードであり、キー（ボタン）の１回押下だけで、例えばモード・ボタン１３５の使用を介し双方向アプリケーション・モードに切り替わる。特に、段階３９５で、携帯型ＤＴＶ１００はモード・ボタン１３５の状態を（例えばポーリング技術を介し又は割り込みの使用を介し）検査する。モード・ボタン１３５が押下された場合、携帯型ＤＴＶ１００は、段階３５０で双方向アプリケーション・モードに入り双方向アプリケーション・モードの色を点ける。段階３５５で、携帯型ＤＴＶ１００は、双方向アプリケーション・モードにおけるナビゲーション・ボタン装置１２５の次のキー・ストロークを処理する。次のキー・ストロークが受信されると、携帯型ＤＴＶ１００は、段階３６０でナビゲーション・モードに戻りナビゲーション・モードの色を点ける。留意すべき点は、図１１の方法が、例えばユーザーが双方向アプリケーション・モード中の定められた時間期間内にボタンを押下しない場合に携帯型ＤＴＶ１００がナビゲーション・モードへ戻る「タイムアウト」機能を有するよう更に変更され得ることである。
【００１７】
ボタン装置１３０を用い上述の少なくとも２つの動作モードを提供する方法は、ナビゲーション・ボタン装置１２５を用いる方法と同一である。ボタン構造及び光学要素構造は同一であり得る。冗長を避けるため、ボタン装置１３０の異なる特徴のみが以下に記載される。ボタン装置１３０は説明的に、図２に示された外側の輪に位置付けられ、部分的に光学的に透過（半反射型）である。外側の輪は、例えば説明的にプラスチックでできていて、通常磨かれたアルミニウムのように見える塗料で塗られている。この装置の利点は、双方向アプリケーション・モードで動作する場合に、ユーザーが容易に有色光を見ることができることである。つまりボタンの色がユーザーに見え、対応する光学要素により放出される光と同一色である。有色光はまた、説明的に外側の輪に描かれたラベル「Ｃｈ＋」、「Ｃｈ−」、「Ｖ＋」及び「Ｖ−」を個人が見ることを困難にする。
【００１８】
ナビゲーション・ボタン装置１２５とボタン装置１３５の両方が上述の少なくとも２つの動作モードを提供する場合、ＤＴＶ１００はユーザー・インターフェース、例えば画面上表示、又は別のボタンを提供し、例えばＤＴＶ１００の設定手順の間にユーザーに２つのモードの何れかを活性化にするかを選択させる２つのボタン装置の１つが選択されると、動作方法は上述と同じである。この実施例では、９個の光学要素が両方のボタン装置１２５及び１３０で各ボタンに１つ必要とされる。
【００１９】
上述のように及び本発明の原理に従って、ナビゲーション・ボタン装置、又はチャンネル及び音量変更ボタン装置、又は両者は、少なくとも２つの動作モードを有する。つまり通常動作モード及び双方向アプリケーション動作モードである。従って、４個（紫が使用されない場合）又は５個のボタンのみが必要とされ、従って携帯型デジタルＴＶ上のユーザー・インターフェースのために要求される物理的空間の量を削減する。このように、ユーザー・インターフェースのためにより少ない空間が要求されるので、携帯型ＤＴＶの物理的大きさは更に削減可能であり得る。
【００２０】
このように、以上は本発明の原理の単なる説明であり、当業者は、本発明の原理を実施し及び本発明の精神及び範囲に包含される、本願明細書に明示的に記載されない種々の構成を考案し得る。例えば、別個の要素として示されたが、当該要素の何れ又は全ては、例えばストアド・プログラムにより制御されるプロセッサー、例えばデジタル・シグナル・プロセッサー（ＤＳＰ）又は例えば図１等に示された１つ以上の要素に対応するソフトウェアを実行するマイクロプロセッサーのような１つ以上の集積回路（ＩＣ）内に実施されて良い。更に、携帯型デジタル・テレビジョンに関し記載されたが、本発明の概念はデジタル・テレビジョン等のリモコンにも適用可能である。同様に、モード・ボタンが以上に説明されたが、ナビゲーション・ボタン装置のモードを設定する他の方法及び機構が用いられて良い。従って、理解されるべき点は、多数の変更が説明のための実施例に成されて良いこと、及び他の装置が特許請求の範囲により定められた本発明の精神と範囲から逸脱することなく考案されて良いことである。
【図面の簡単な説明】
【００２１】
【図１】本発明の原理を実現する携帯型ＤＴＶの説明図である。
【図２】本発明の原理を実現する携帯型ＤＴＶの説明のための前面図である。
【図３】本発明の原理に従う説明のためのフローチャートである。
【図４】本発明の原理に従うナビゲーション・モードにおけるナビゲーション・ボタン装置１２５の説明図である。
【図５】ナビゲーション・ボタン装置１２５の説明のための部分である。
【図６】本発明の原理に従う双方向アプリケーション・モードにおけるナビゲーション・ボタン装置１２５の説明図である。
【図７】本発明の原理に従う双方向アプリケーション・モードにおけるナビゲーション・ボタン装置１２５の説明図である。
【図８】本発明の原理に従う双方向アプリケーション・モードにおけるナビゲーション・ボタン装置１２５の説明図である。
【図９】ナビゲーション・モードにおける携帯型ＤＴＶの他の図である。
【図１０】双方向アプリケーション（有色）モードにおける携帯型ＤＴＶの他の図である。
【図１１】本発明の原理に従う説明のための別のフローチャートである。
【図１】
2009506716.tif 000003
【図２】
2009506716.tif 000004
【図３】
2009506716.tif 000005
【図４】
2009506716.tif 000006
【図５】
2009506716.tif 000007
【図６】
2009506716.tif 000008
【図７】
2009506716.tif 000009
【図８】
2009506716.tif 000010
【図９】
2009506716.tif 000011
【図１０】
2009506716.tif 000012
【図１１】
2009506716.tif 000013
【国際調査報告】
2009506716.tif 000014
2009506716.tif 000015